(57)【要約】  本発明の実施形態は概してマルチビューディスプレイシステムに向けられている。装置の或る実施形態は、複数ビューを同時に表示するディスプレイ画面と、ディスプレイ画面上に提示されるビューを制御するコントローラと、を含んでいる。装置は、複数のビュー設定を提供するべくコントローラによって構成可能であり、当該ビュー設定は、装置が単一ビューをディスプイ画面のそれぞれの視聴者へ提供する第１設定と、装置が第１ビューをディスプレイ画面の第１視聴者へそして第２ビューをディスプレイ画面の第２視聴者へ提供する第２設定と、を含んでいる。第１フィルタリング要素が、ディスプレイ画面の視聴者へ提示されるそれらのビューをフィルタリングして、意図されたビューが１人又はそれ以上の視聴者へ表示されるようにしている。【選択図】図１
2013541239.tif 000002
【特許請求の範囲】
【請求項１】
複数のビューを同時に表示するディスプレイ画面と、
前記ディスプレイ画面上に提示される前記複数のビューを制御するコントローラと、を備える装置であって、
前記コントローラによって複数のビュー設定が提供されるように構成され、前記ビュー設定は、前記装置が単一ビューを前記ディスプイ画面のそれぞれの視聴者へ提供する第１設定と、前記装置が第１ビューを前記ディスプレイ画面の第１視聴者へ、第２ビューを前記ディスプレイ画面の第２視聴者へ提供する第２設定とを含んでおり、
第１フィルタリング要素が、前記ディスプレイ画面の視聴者へ提示されるビューをフィルタリングして、意図されたビューが１人又はそれ以上の視聴者へ表示されるようにしている、装置。
【請求項２】
前記第２設定において、
前記第１フィルタ要素が、前記第１視聴者へ提示される前記ビューをフィルタリングして、前記第１ビューが前記第１視聴者へ表示され、前記第２ビューは前記第１視聴者から見えなくされるようにし、
第２フィルタリング要素が、前記第２視聴者へ提示される前記ビューをフィルタリングして、前記第２ビューが前記第２視聴者へ表示され、前記第１ビューは前記第２視聴者から見えなくされるようにしている、請求項１に記載の装置。
【請求項３】
前記第１設定は、同じ三次元（３Ｄ）ビューをそれぞれの視聴者へ提供し、前記第２設定は、第１の二次元（２Ｄ）ビューを前記第１視聴者へ提供し、及び、第２の２Ｄビューを前記第２視聴者へ提供している、請求項１に記載の装置。
【請求項４】
信号を前記第１フィルタリング要素へ送信する送信器を更に備えている、請求項１に記載の装置。
【請求項５】
前記第１フィルタリング要素への前記信号は、前記第１フィルタリング要素に命令して前記意図されたビューを切り換えさせる、請求項４に記載の装置。
【請求項６】
信号を前記第１フィルタリング要素から受信する受信器を更に備えている、請求項１に記載の装置。
【請求項７】
前記第１フィルタリング要素からの前記信号は、当該第１フィルタ要素の状態を提供している、請求項６に記載の装置。
【請求項８】
前記第１ビューは第１の映像データストリームによって提供され、前記第２ビューは第２の映像データストリームによって提供されている、請求項１に記載の装置。
【請求項９】
前記第１の映像データストリームと前記第２の映像データストリームとを整列させる整列要素を更に備えている、請求項１に記載の装置。
【請求項１０】
複数の画像を第１ディスプレイ画面上に投影する処理と、
前記第１ディスプレイ画面上の複数画像を１人又はそれ以上の視聴者へ提供する処理とを含む方法であって、
前記複数画像を提供する処理は、単一画像を前記第１ディスプレイ画面の全視聴者へ提供するための第１設定と、第１画像を第１視聴者へ提供し及び第２画像を第２視聴者へ提供するための第２設定とを含み、
前記複数画像を提供する処理は、前記第１ディスプレイ画面によって投影された前記複数画像をフィルタリングして当該複数画像を視聴用に分離することを含む、方法。
【請求項１１】
前記第２設定では、前記第２画像は前記第１ユーザーから実質的に見えなくされ、前記第１画像は前記第２ユーザーから実質的に見えなくされる、請求項１０に記載の方法。
【請求項１２】
前記第１設定において提供される前記画像は三次元（３Ｄ）画像であり、
前記第２設定において、前記第１画像は第１の二次元（２Ｄ）画像であり、前記第２画像は第２の２Ｄ画像である、請求項１０に記載の方法。
【請求項１３】
画像データのための複数の入力のそれぞれに、提示のための互換性のあるフォーマットを有することを求める処理を更に含む、請求項１０に記載の方法。
【請求項１４】
複数の画像を表示するためのディスプレイ画面と、
前記複数の画像を前記ディスプレイ画面へ提供する信号要素と、
前記複数の画像の前記表示を制御するためのコントローラを含んでいる制御ユニットであって、同じ画像を前記ディスプレイ画面の全視聴者へ提供するための第１設定と、第１画像を第１視聴者へ提供し及び第２画像を第２視聴者へ提供するための第２設定とを含む当該制御ユニットと、
前記ディスプレイ画面上に表示される前記複数画像をフィルタリングする１つ又はそれ以上のフィルタ要素と、を備えているシステム。
【請求項１５】
前記制御ユニットは、前記第１設定と前記第２設定の間で動的に切り換える、請求項１４に記載のシステム。
【請求項１６】
前記第１フィルタ要素は第１ユーザー用の眼鏡一式である、請求項１４に記載のシステム。
【請求項１７】
前記眼鏡は、当該眼鏡を前記第１画像用の設定と前記第２画像用の設定の間で切り換えるためのスイッチを含んでいる、請求項１６に記載のシステム。
【請求項１８】
前記スイッチは前記眼鏡のユーザーによって設定される、請求項１７に記載のシステム。
【請求項１９】
前記眼鏡は受信器を含み、前記制御ユニットは送信器を含んでおり、前記スイッチは、前記コントローラによって前記送信器を介して送信され前記眼鏡によって前記受信器を介して受信された信号に応答して設定される、請求項１７に記載のシステム。
【請求項２０】
前記眼鏡は、当該眼鏡の状態を検知するもう１つの複数センサーを含んでいる、請求項１６に記載のシステム。
【請求項２１】
前記眼鏡は、当該眼鏡の前記状態に関するデータを送信する送信器を含み、前記制御ユニットは、前記眼鏡の前記状態に関する前記データを受信する受信器を含んでいる、請求項２０に記載のシステム。
【請求項２２】
前記第１フィルタ要素は前記ディスプレイ画面のためのフィルタである、請求項１４に記載のシステム。
【請求項２３】
前記第１ビューと前記第２ビューは、異なった偏光を用いて偏光された画像であり、前記第１要素は偏光フィルタを含んでいる、請求項１４に記載のシステム。
【請求項２４】
前記第１ビューと前記第２ビューは、期間を交互して提示され、
前記第１フィルタ要素は、前記第１ビューの期間中は開き、前記第２ビューの期間中は閉じるシャッターを含んでいる、請求項１４に記載のシステム。
【請求項２５】
前記第１ビューと前記第２ビューは異なった色を利用しており、前記第１フィルタ要素は色フィルタを含んでいる、請求項１４に記載のシステム。
【請求項２６】
一連の命令をあらわすデータを記憶したコンピュータ読み取り可能な記録媒体であって、前記命令は、プロセッサによって実行されるとき、当該プロセッサに、
第１ディスプレイ画面上に表示させる複数の画像のためのデータを提供する処理と、
１つ又はそれ以上のフィルタ要素に命令して、前記第１ディスプレイ画面によって投影される複数画像をフィルタリングさせる処理であって、
複数画像のフィルタリングは、１人又はそれ以上のユーザーによる視聴を提供するために前記複数画像を分離することを含み、
前記複数画像の視聴を提供することは、単一画像を前記第１ディスプレイ画面の全視聴者へ提供するための第１設定と、第１画像を第１視聴者へ提供し及び第２画像を第２視聴者へ提供するための第２設定とを含む当該処理と、
を実行させるコンピュータ読み取り可能な記録媒体。
【請求項２７】
前記第１設定において提供される前記画像は三次元（３Ｄ）画像であり、前記第２設定において、前記第１画像は第１の二次元（２Ｄ）画像、及び前記第２画像は第２の２Ｄ画像である、請求項２６に記載のコンピュータ読み取り可能な記録媒体。
【発明の詳細な説明】
【技術分野】
【０００１】
本発明の実施形態は、全体としては電子デバイスの分野に、より厳密にはマルチビューディスプレイシステムに関する。
【背景技術】
【０００２】
ディスプレイシステムは、画像又はビューをシステムのユーザーへ表示する。システム用のディスプレイ画面には、テレビ画面、コンピュータ画面、映画画面、及び他の同様のディスプレイが挙げられる。大抵はディスプレイ画面用に利用できる多彩なビューやプログラムが取り揃えられているものである。
ユーザーについて２つ以上の画像が所望される場合、従来のシステムでは、ディスプレイ画面のためのピクチャインピクチャ（ＰＩＰ）モードやサイドバイサイドモードの使用における様に、複数画面が１つの設備の中で使用されているか又は画面を分割することによって、単一画面が複数画像を提供している。
しかしながら、分割されたディスプレイ画面の使用は、その様な画面上に表示されるビューの１つ１つによって提供される実益又は体験を損なう。単一ディスプレイ画面が分割され、スプリット画面を提供する場合、それぞれの画像は余儀なくディスプレイ画面のフルサイズよりも小さくされてしまう。代わりに、ピクチャインピクチャ（ＰＩＰ）ディスプレイがディスプレイ画面上で利用される場合、前景のＰＩＰプログラムは、フルサイズよりもはるかに小さくなるであろうし、背景のプログラムの一部分を遮ることであろう。
その上、分割画面が使用されようと複数画面が使用されようと、複数画面又は分割画面上に提供されているビューのそれぞれは、場所又は会場にいる全ユーザーに可視であるため、どのユーザーも視線が散漫になってしまい、単一ディスプレイ画面又は複数ディスプレイ画面の潜在的な活用性が制限されることになる。
【発明の概要】
【発明が解決しようとする課題】
【０００３】
本発明の実施形態は、全体としては、マルチビューディスプレイシステムに向けられている。
【課題を解決するための手段】
【０００４】
本発明の第１の態様では、装置の或る実施形態は、複数ビューを同時に表示するディスプレイ画面と、ディスプレイ画面上に提示されるビューを制御するコントローラと、を含んでいる。装置は、複数のビュー設定を提供するべくコントローラによって構成可能であり、当該ビュー設定は、装置が単一ビューをディスプイ画面のそれぞれの視聴者へ提供する第１設定と、装置が第１ビューをディスプレイ画面の第１視聴者へそして第２ビューをディスプレイ画面の第２視聴者へ提供する第２設定と、を含んでいる。第１フィルタリング要素が、ディスプレイ画面の視聴者へ提示されるそれらのビューをフィルタリングして、意図されたビューが１人又はそれ以上の視聴者へ表示されるようにしている。
【０００５】
本発明の第２の態様では、方法の或る実施形態は、複数画像を第１ディスプレイ画面へ投影する段階と、第１ディスプレイ画面上の複数画像を１人又はそれ以上の視聴者へ提供する段階とを、含んでおり、複数画像を提供する段階は、単一画像を第１ディスプレイ画面の全視聴者へ提供するための第１設定と、第１画像を第１視聴者へそして第２画像を第２視聴者へ提供するための第２設定と、を含み、また複数画像を提供する段階は、第１ディスプレイ画面によって投影された複数画像をフィルタリングしてそれらの画像を視聴用に分離する段階を含んでいる。
【０００６】
本発明の実施形態は、一例として、また限定として記載されているわけではなく、添付図面の図に示されており、図中の同様の符号は同様の要素を指している。
【図面の簡単な説明】
【０００７】
【図１】マルチビューディスプレイシステムの一実施形態の説明図である。
【図２】マルチビューディスプレイ装置の一実施形態の説明図である。
【図３】マルチビューディスプレイシステムで使用されるフィルタリング要素の一実施形態の説明図である。
【図４】ディスプレイ上に複数ビューを提供するためのプロセスの一実施形態を示すフローチャートである。
【図５】互換性のあるデバイスに共通フォーマットを強要するためのプロセスの一実施形態を示している。
【図６】マルチビューディスプレイ装置又はシステムの一実施形態の説明図である。
【図７】複数画像の生成及び表示の一実施形態を示している。
【図８】複数の画像ビューを提供するための電子デバイス又はシステムの一実施形態の説明図である。
【発明を実施するための形態】
【０００８】
本発明の実施形態は、全体としては、マルチビューディスプレイシステムに向けられている。
【０００９】
幾つかの実施形態では、方法、装置、又はシステムは、ディスプレイが複数の画像をユーザーへ提供することのできるマルチビューディスプレイを提供している。既存の視聴システムは、ディスプレイ画面上で同じビューを全ユーザーへ提供している。しかしながら、個々のユーザーが異なったビューを観賞したがっていることもあろうし、その場合、それら異なったビューは、互いに関係している画像を含んでいることもあれば互いに関係していない画像を含んでいることもあろう。幾つかの実施形態では、ユーザーの群は、個人毎又は個人の群毎に異なった題材をディスプレイ上で見るという形でディスプレイを共用してもよい。ここでの使用に際し、複数の異なったビューを同時に提供するディスプレイを「マルチビューディスプレイ」と呼称している。
【００１０】
幾つかの実施形態では、テレビ又は他のディスプレイシステム又はデバイスへの複数の入力が視聴用として同時に示され、ユーザーにビューの複数選択肢が与えられるようにしている。ビューには、映像データのストリームを含め、ディスプレイシステムにとって利用可能なあらゆる画像が含まれ得る。例えば、第１の人物は自宅のテレビ画面で、第２の人物が同じテレビ画面で映画を視聴しているときに、スポーツ競技を視聴したいかもしれない。別の例では、子どもたちがテレビ画面でＤＶＤ又は他の録画プログラムを観賞しているときに、親たちは同じテレビでニュースプログラムを視聴したいかもしれない。幾つかの実施形態では、複数のプログラムのうちの幾つか又は全てが同時にマルチビューディスプレイ上で提供される。
【００１１】
幾つかの実施形態では、マルチビューディスプレイのための複数のプログラムは、異なったテレビチャネルの様な異なったチャネルで受信されていることもあれば、或いはプログラムはディスプレイシステム又はデバイスへの異なった入力から受信されていることもあろう。例えば、マルチビューディスプレイへ送られるプログラムには、ケーブルセットトップボックスからの生放送、ＤＶＤプレイヤー又は他の映像記憶媒体からの映画、ゲームコンソースからのビデオゲーム、及びコンピュータプログラムが含まれる。
【００１２】
幾つかの実施形態では、マルチビューには、特定のユーザーにのみ視聴され他のユーザーには視聴されない一部の画像が含まれていることもある。例えば、マルチビューディスプレイはＰＩＰを特定のユーザーのみに限定していてもよく、部屋中の誰もが映画又は他の同様のプログラムを視聴していて、その間ユーザーらの一部だけがサッカー試合の実況中継の様な別のプログラム挿入を視聴するという状況がそうである。別の例では、視聴者らの一部だけが特定の追加テキストを視るということもあり、テキストは、特定の視聴者だけが見える映画の字幕の様な関係している情報のこともあれば、特定の視聴者だけが見える競技の点数の様な関係していない情報のこともあろう。
【００１３】
幾つかの実施形態では、マルチビューディスプレイ装置又はシステムは、単一ビューがマルチビューディスプイの全視聴者へ提供される第１設定と、第１ビューが第１視聴者へそして第２ビューが第２視聴者へ提供される第２設定と、を含め、複数の異なったビュー設定又は状態を含んでいる。或る例では、マルチビューディスプレイ装置又はシステムは、単一の三次元（３Ｄ）画像をディスプレイのそれぞれの視聴者へ提供するか、又は第１の二次元（２Ｄ）画像を第１視聴者へそして第２の２Ｄ画像を第２視聴者へといった様に異なった画像を異なった視聴者へ提供するか、の間で選択をすることができる。しかしながら、実施形態は、これらの画像に限定されず、２Ｄ及び３Ｄ画像の多種多様なディスプレイを含み得る。
【００１４】
幾つかの実施形態では、マルチビューディスプレイは、複数画像を画像の異なった領域に提供している単一の映像ストリームを利用することによって動作していてもよい。或る例では、ゲーミングシステムは、単一の映像ストリームを、画像全体のうちの異なった領域が異なったユーザーに供される形で利用することができる。幾つかの実施形態では、制御ユニットが、画像の異なった領域を抽出し、それぞれの領域をフルサイズの画像へ拡大し、それぞれの画像を適切な視聴者又はビューへ提示するように動作する。或る例では、画像の左側領域は第１視聴者へ的を絞り、画像の右側領域は第２視聴者へ的を絞っている。幾つかの実施形態では、制御ユニットは、２つの領域を分離し、それぞれの領域をフル画面サイズへ拡大し、次いで拡大されたフル画面サイズの左ビューを第１視聴者へそして拡大されたフル画面右ビューを第２視聴者へ提供する。
【００１５】
図１は、マルチビューディスプレイシステムの或る実施形態の説明図である。幾つかの実施形態では、マルチビューディスプレイシステム１０５は、複数ビューを提供するディスプレイ１１０を含んでいる。示されている様に、複数ビューは、第１の映像データストリーム１２５からもたらされる第１ビュー１１５と、第２の映像データストリーム１３０からもたらされる第２ビュー１２０と、を含んでおり、それら映像データのストリームは、マルチビューディスプレイシステム１０５の制御ユニット１３５によって提供されていることが示されている。図１は、２つのビューがマルチビューディスプレイシステム１０５によって提示されていることを描いているが、実施形態はこのビュー数に限定されず、２つ又はそれ以上のビューを提供していてもよい。解説を容易にするために、本論考は概して画像について単一のデータセットを含んでいるビュー、ひいては二次元（２Ｄ）表現を記述しているが、実施形態には、画像について左目画像用の第１のデータストリームそして右目画像用の第２のデータストリームの様な複数のデータセットを要する三次元（３Ｄ）画像も含まれ得る。
【００１６】
幾つかの実施形態では、第１設定のときは、単一ビューがディスプレイ１１０の全視聴者へ提供され、第２設定のときは、第１ビューがディスプレイ１１０の１人又はそれ以上の視聴者へ提供され、その間、第２ビューがディスプレイ１１０の１人又はそれ以上の他の視聴者へ提供されていてもよい。この説明図では、複数ビュー１１５及び１２０は、ここでは第１ユーザー１５０、第２ユーザー１５５、及び第３ユーザー１６０として示されている複数の異なったユーザー又はユーザー群へ提示される。幾つかの実施形態では、複数のユーザー又はユーザー群は、ディスプレイ１１０に提示されている異なったビューを観覧することになる。幾つかの実施形態では、それぞれのユーザーが複数ビューのうちの１つを選ぶこと、又は複数ビューのうちの１つを割り当てさせることができる。幾つかの実施形態では、複数ビューのうちの特定の意図されたビューはフィルタリングデバイス又は要素を通されてユーザーによる視聴に供され、他のビューはフィルタリングで除去され、その結果ユーザーには見られない。
【００１７】
この説明図では、第１フィルタリングデバイス又は要素１６５は、第１ビュー１１５が第１ユーザー１５０によって視聴されることを許容しているが、第２ビュー１２０をフィルタリングで除去している。また、第２フィルタリングデバイス又は要素１７０及び第３フィルタリングデバイス又は要素１７５は、それぞれ、第２ビュー１２０が第２ユーザー１５５及び第３ユーザー１６０によって視聴されることを許容しているが、第１ビュー１１５をフィルタリングで除去している。この説明図の目的上、それぞれのユーザーについて単一のフィルタリングデバイス又は要素が提供されているが、実施形態はこの実装に限定されない。幾つかの実施形態では、単一のフィルタリングデバイス又は要素がユーザー群のうちの数人又は全員について使用されており、また幾つかの実施形態では、それぞれのユーザーについて複数のフィルタリングデバイス又は要素が使用されていることもある。
【００１８】
図２は、マルチビューディスプレイ装置の或る実施形態の説明図である。幾つかの実施形態では、マルチビューディスプレイ装置２００は、制御ユニット２０５を含んでおり、そしてディスプレイ２１０を含んでいるか又はそれと連結されている。幾つかの実施形態では、ディスプレイ２１０は、第１ビュー２１５及び第２ビュー２２０乃至第ｎ番目ビュー２２５の様な複数ビューを同時に表示する。幾つかの実施形態では、制御ユニット２０５は、少なくとも、単一ビューをディスプレイの全視聴者へ提供する第１設定と異なったビューをディスプレイの異なった視聴者へ提供する第２設定の実装を含め、ディスプレイ２１０上の複数ビューの提示を制御するコントローラ２３５を含んでいる。幾つかの実施形態では、制御ユニット２０５は、様々なビュー２１５−２２５を生成するために、複数の映像ストリーム２３０を、出力ポート２４０を介して提供するといった様に、リンクを介して提供する。幾つかの実施形態では、複数の映像ストリームを伝送するのに利用されているリンクは、同様に、対応する音声ストリームを伝送していてもよい。
【００１９】
幾つかの実施形態では、制御ユニット２０５は、複数ビューの提示のためにデータを保持又はバッファするメモリ２４５を含んでいる。幾つかの実施形態では、制御ユニット２０５は、フィルタ要素への信号、例えば切換式フィルタ要素の切り換えを命令する信号など、を送信する送信器２５０と、フィルタ要素又はフィルタ要素を含んでいるデバイスからの信号、例えばフィルタ要素から受信される状態信号などを、１つ又はそれ以上のアンテナ２７５又は他の通信要素を介して受信する受信器２５５と、を含んでいる。幾つかの実施形態では、制御ユニット２０５は、ディスプレイ２１０上に提示させる１つ又はそれ以上のデータストリームを受信するための入力ポート２６０を含んでいる。幾つかの実施形態では、制御ユニット２０５は、１人又はそれ以上のユーザーのディスプレイ２１０に対しての位置を確定又は検知する測位要素２６５を含んでいる。幾つかの実施形態では、制御ユニットは、複数の映像ストリームを表示のために互いに整列させる整列要素２７０を含んでいる。
【００２０】
幾つかの実施形態では、制御ユニット２０５は、ビデオゲーム動作に利用されていてもよい。幾つかの実施形態では、コンピュータ又はコンソールゲームシステムは、複数プレイヤーによるゲームプレイのためのマルチビューディスプレイを含んでいてもよい。或る実装では、ディスプレイ画面は、複数のプレイヤーが同じディスプレイを使用してはいるもののそれぞれのプレイヤーには異なったビューが見えるようにして、ビデオゲームを投影することができる。従来のゲーミングシステムは、スプリット画面ビューを含んではいても、その様なスプリットビューでは、ユーザー１人１人の画面サイズが事実上縮小されてしまう。また、従来システムでは、それぞれのプレイヤーには他プレイヤーのビューが目に入ってしまい、特定のゲームについてはそのことが障害又は不都合になることもある。第１の人物が射撃ゲーム又は類似のゲームをしている例では、第１プレイヤーが第２プレイヤーに知られずに第２プレイヤーに忍び寄るという様な行動を取れることがゲームプレイの重要な部分であろう。これを達成する能力は、それぞれのプレイヤーに他プレイヤー又は他プレイヤーの画面が見えてしまっては、著しく損なわれる。幾つかの実施形態では、マルチビューディスプレイは、それぞれのプレイヤー（又はプレイヤーの群）に、他プレイヤーには不可視の明確に区別されたフルサイズ画像を提供しており、それによって、それぞれのプレイヤー用又はプレイヤー群用の個別のビューを有するフル画面視聴を可能にする。
【００２１】
幾つかの実施形態では、複数ビューは、最初に単一画像中に組み合わされており、画像の一定の領域それぞれが異なった視聴者又は視聴者群を対象としている。幾つかの実施形態では、制御ユニット２０５は、画像の領域を分離し、それぞれの領域を（フル画面の様な）より大きなサイズへ拡大し、複数画像をそれら視聴者へ提示する。複数視聴者について画像を生成しているデバイス又はシステムは、複数のデータストリームではなしに単一のデータストリームを提供することしか求められない。或る例では、２人プレイヤー用にサイドバイサイド画像領域を提供しているゲーミングシステムは、画像ストリームをマルチビューディスプレイ装置又はシステムへ提供し、するとマルチビューディスプレイ装置又はシステムが、ゲームのプレイヤーへの同時フル画面表示のために画像を抽出するよう動作する。
【００２２】
幾つかの実施形態では、マルチビューディスプレイシステム又はデバイスは、ヘッドトラッキング型ビューを複数人へ同時に提供するべく利用されている。立体表示は、従来システムでユーザーに奥行きの錯視を与えるための人気の技術である。しかしながら、立体視が人間の視覚にとって唯一の奥ゆき付与メカニズムというわけではなく、視聴者にとっては運動視差がもう１つの奥ゆきの手掛かりとなっている。運動視差は、支点が変化してゆくと、近くの物体は遠くの物体よりも多くの量動いている様に見えるとされる現象である。幾つかの実施形態では、コンピュータグラフィックシステムは、システムユーザーのディスプレイに対しての位置を観測又は検知し、レンダリングされる場面をユーザーの位置からのビューとしてレンダリングすることによって、奥ゆきの手掛かりを提供している。従来のヘッドトラッキングシステムの不都合は、単一視点からレンダリングされた場面しか見せることができず、その結果、それぞれのディスプレイが単一ユーザー用のヘッドトラッキングしか提供できないことである。この理由により、複数ユーザーシステムは、それぞれのユーザーについて必要なディスプレイを提供するために、両眼用ＶＲ（バーチャルリアリティ）ゴーグルの様な複数ディスプレイの使用を余儀なくされている。幾つかの実施形態では、マルチビューディスプレイデバイス又はシステムは、ヘッドトラッキングディスプレイでのこの制限を取り除くべく使用されており、ディスプレイはそれぞれのユーザー毎に異なったヘッドトラッキング型ビューを提供する。
【００２３】
幾つかの実施形態では、マルチビューディスプレイデバイス又はシステムは、１つ又はそれ以上の立体画像ストリームを含んでいてもよい。幾つかの実施形態では、３つ又はそれ以上の独立チャネルを備えるマルチビューディスプレイが、立体（三次元即ち３Ｄ）ストリームデータと非立体（二次元即ち２Ｄ）ストリームの両方を映していてもよい。幾つかの実施形態では、４つ又はそれ以上の独立チャネルを備えるマルチビューディスプレイが、複数の独立した立体ストリームを映していてもよい。幾つかの実施形態では、ディスプレイは、複数の立体ストリームを利用して複数のヘッドトラッキング型の立体ストリームを表示しており、それによって、それぞれのユーザーに複数の奥ゆき手掛かり（立体視と運動視差）を有する独立ビューを提供することが見込める。
【００２４】
幾つかの実施形態では、マルチビューディスプレイは、異なったユーザー群についてコンテンツをカスタマイズするべく使用されていてもよい。或る特定の例では、それぞれの視聴者によって成されるビューの選定に関係付けて広告を選定しながら、異なった広告がマルチビューディスプレイシステム又はデバイスの異なったユーザーへ向けられるようにされてもよい。
【００２５】
幾つかの実施形態では、システムは、異なった要素を利用し、それらをマルチビューシステム用に組み合わせていてもよい。例えば、システムは、マルチビューディスプレイシステム上で特定の映像ストリームを選んだ個人へ向けられる指向性のコンテンツとＰＩＰビューの組合せを提供するようにしてもよい。
【００２６】
幾つかの実施形態では、複数ビューをユーザーへ提供するのに十分に適う特定の会場がマルチビューディスプレイを含んでいてもよい。例えば、マルチビューディスプレイを利用している映画館なら、単一の室内で複数の映画を映写することができるであろう。映画が上映時間の終わりに近づくと、当該映画を映している館内がほぼ空になってゆくのは珍しいことではない。複数映画を単一画面で見せることができれば、複合型映画館が、所与の数の映画館画面について、より多くのプログラムを提供したり開始時間の選択肢を増やしたりできるようになるであろう。幾つかの実装では、映画は、特定の効果又は魅力を観客へ与えるように、まとまって選定されるか又は組み合わされている。例えば、プログラムの特定の組合せ（恋愛映画をアクション映画と同時上映）を、カップルや他の集団を呼び込むのに使用することができるであろう。幾つかの実施形態では、それぞれの映画を視聴している人の数を、ビュー毎に幾つのフィルタ要素眼鏡が設定されているかを求めることによって確定することができる。
【００２７】
幾つかの実施形態では、共用ディスプレイを現在有している会場、例えば共用ディスプレイ（大抵は天井取付型ディスプレイ）を備える航空機などは、乗客又は他のユーザーへプログラムの選択肢を提供するように拡充を図ることができるであろう。航空機の画面への映像配信の例では、当該会場は、従来、選ばれた映像ストリームのそれぞれについて音声を提供するハンドセットを介して乗客が聴取するという独立音声ストリームの配信用設備を有している。
【００２８】
立体ディスプレイは、益々人気が出てきている。その様なシステムは、概して、２つの関係のある画像を、そのうちの一方がユーザーの左目へ提供され、２つ目がユーザーの右目へ提供されるようにして、それによってユーザーへ画像の奥行き感を作り出すように表示するメカニズムを利用している。その様な用途では、２つの画像は緊密に関係していて、それぞれが同じ場面のビューを僅かに異なった視点から提供しているものである。更に、それぞれのユーザーは、同じ２つの画像を受信する。
【００２９】
幾つかの実施形態では、マルチビューディスプレイシステムによって提供される特定の表示又はビューを視聴するのに、両眼鏡の様なフィルタリング要素がユーザーによって使用されていてもよい。この記述で、「眼鏡」とは、マルチビューディスプレイシステムのユーザーによって利用される何らかの光学的なデバイスを指し、一対の眼鏡レンズ、ゴーグル一式、又は他の類似デバイスが含まれ得る。
【００３０】
図３は、マルチビューディスプレイシステムで使用されるフィルタリング要素の或る実施形態の説明図である。幾つかの実施形態では、フィルタリング要素は、眼鏡３０５又は個人に着用させる類似の要素の様な、それぞれのユーザー毎に提供される別々のフィルタの形態をしていてもよい。幾つかの実施形態では、フィルタリング要素は、マルチビューディスプレイ３５０用のレンズ又はフィルタ３５５の様な、マルチビューディスプレイ３５０の一部又は付属品であってもよい。或る例では、レンズ又はフィルタは、場所毎に異なったビューを可能にする指向性レンズ又はフィルタであってもよい。
【００３１】
幾つかの実施形態では、眼鏡は、左目フィルタ（ユーザーの左目用フィルタ）３１５と右目フィルタ３１０の様な、それぞれの目について別々のフィルタを含んでいてもよい。フィルタには、限定するわけではないが、偏光フィルタ、シャッター、及びカラーフィルタの様なフィルタ類が含まれ得る。幾つかの実施形態では、フィルタ３１０−３１５は固定された要素であり、ユーザー用のビューは、選択されたビューとの適合性のある眼鏡一式を選ぶことによって選択されるようにしてもよい。
【００３２】
幾つかの実施形態では、フィルタ３１０−３１５は、選択可能なフィルタであり、よって、眼鏡３０５は、選択されたビューに合わせて設定されるようにしてもよい。幾つかの実施形態では、眼鏡３０５は、フィルタを選択されたビュー設定に適切な設定へ切り換えるための切換要素３３０を含んでいてもよい。幾つかの実施形態では、切換要素３３０は、ユーザーによって設定されるようになっていてもよいし、幾つかの実施形態では、切換要素３３０は、マルチビュー切換システムからの信号に応えて切り換わるといった様に、遠隔的に切り換え可能であってもよい。幾つかの実施形態では、眼鏡は、信号をシステムへ送信する送信器、信号をシステムから受信する受信器、又はその両方を行う送受信器３２０として示されている送受信器を含んでいてもよい。
【００３３】
幾つかの実施形態では、眼鏡３０５は、フィルタ要素の状態を検知する１つ又はそれ以上のセンサーを含むことができ、状態には、例えば、眼鏡が使用中であるかどうか、眼鏡が設定されているビュー、眼鏡のマルチビューディスプレイシステムに対しての位置、及び眼鏡の使用に関する他のデータが含まれる。センサー３３５には、ヘッドトラッキング式実装で使用されるであろう、眼鏡３０５の向きを判定するセンサーも含まれ得る。
【００３４】
マルチビューディスプレイのための多くのディスプレイ技術は、ディスプレイのそれぞれのユーザーが望まれない映像データをフィルタリングで除去するための両眼鏡を着用することを要件としていることもある。幾つかの実施形態では、それぞれのユーザーが眼鏡を着用していることから、他の機能が眼鏡のフィルタリング機能と組み合わされている。幾つかの実施形態では、眼鏡３０５は、サウンド要素３２５を含んでおり、サウンド要素は、選択されたビューについて映像ストリームと関係のある音声ストリームを提供する。例えば、眼鏡３０５は、適切な音声をユーザーへ供するイヤホンを含んでいてもよい。幾つかの実施形態では、音声ストリームは、マルチビューディスプレイシステムから、送受信器３２０を経由するなどして、受信されていてもよい。
【００３５】
幾つかの実施形態では、マルチビューディスプレイ用に使用される眼鏡は、更に、ユーザーがどの映像ストリームを視聴するかを選択できるようにしている。幾つかの実施形態では、ＬＣＤレンズに基づくシャッター眼鏡の様なアクティブ眼鏡は、複数の表示対象ビューのうちユーザーが受信したいと思うビューを選択するボタン、スイッチ、又はダイヤルを含んでいてもよい。幾つかの実施形態では、偏光器に基づくパッシブ眼鏡は、ビューの機械的選択を含んでいてもよい。例えば、レンズを９０度回転させられる偏光眼鏡なら、ビューを選択するのに使用することができるであろう。円偏光器は、典型的に、線形偏光器と４分の１波長板で構成されている。眼鏡レンズが一方の他方に対する９０度回転を許容している場合は、レンズの巻き方は機械的に制御される。これは、偏光器を固定したまま４分の１波長板を回転させる、４分の１波長板を固定したまま偏光器を回転させる、又は両者の回転を異ならせる、ことで達成することができるであろう。
【００３６】
別の例では、両眼鏡は、４分の１波長板と、線形偏光器と、４分の１波長板とから成っていてもよい。３つの層が適切に整列されていることで、レンズが向き直されると、左巻き偏光と右巻き偏光の間で切り替わり、こうしてビューを選択するのに使用することができる。
【００３７】
幾つかの実施形態では、線形偏光器に代えて液晶偏光器が使われており、そこでは偏光器の物理的回転に代わって液晶の向きの電子制御が機能することになる。幾つかの実施形態では、眼鏡は、ユーザーが、どのビューを眼鏡が配信するかを選択できるようにする制御を含んでいてもよい。それぞれの目が独立に制御される実施形態は、マルチビューと立体視の両方に使用することができる。
【００３８】
幾つかの実施形態では、制御可能な眼鏡は、直接ユーザーによってではなしにマルチビューディスプレイシステムによって制御されていてもよい。その様なシステムでは、多数の両眼鏡が制御されていてもよい。幾つかの実施形態では、システムは、赤外線又はブルートゥース（Ｒ）チャネルの様な通信チャネルを利用しており、それらチャネルを介して眼鏡は個別に又は群別にアドレス指定され、それぞれの両眼鏡又は眼鏡群にどのビューを見させるかを命令する信号が提供されることになろう。幾つかの実施形態では、眼鏡は、信号を受信するための、図３の送受信器３２０の一部分の様な受信器を含んでいるか又はそれにアクセスでき、受信された信号に応えて、選ばれたチャネルへ切り換えるように動作可能である。幾つかの実施形態では、システムは、眼鏡を、例えばチームを替えながらの集団ゲームに利用している。或る例では、２ビューディスプレイが、集団内のそれぞれのユーザーについて複数の有望な広告のうち最適な広告を精選するようになっていてもよい。ディスプレイは、ユーザーが着用している眼鏡に命令して、マルチビューモードと立体モードの間でコンテンツを見せるのに適切なモードへ切り換えさせればよい。
【００３９】
幾つかの実施形態では、眼鏡が遂行することのできる追加の機能は、適切な音声をユーザーへ届けることである。或る特定の映像ストリームを視聴するべく眼鏡を着用しているユーザーには別体の音声も必要となることであり、従って、音声配信を映像配信と組み合わせるのが有用であろう。幾つかの実施形態では、両眼鏡は、マルチビューディスプレイ又はシステムからの音声を有線又は無線の通信チャネル（例えばブルーツゥース又は他のラジオ周波数（ＲＦ）チャネル）を介して受信することになろう。幾つかの実施形態では、眼鏡は、図３の要素３２５の様なヘッドホン一式又は類似のデバイスを含んでいてもよい。幾つかの実施形態では、眼鏡は、ディスプレイから全ての音声プログラムを受信し、１つだけをユーザーへ供するか、又はディスプレイによって送信される音声プログラムを選択するのに使用される裏チャネルを含んでいるか、どちらかであってよい。上述の様にユーザーに映像プログラムを選択させるメカニズムを備える眼鏡なら、対応する音声プログラムを自動的に選択することになろう。
【００４０】
幾つかの実施形態では、マルチビューディスプレイシステムに使用される眼鏡の追加の機能は、眼鏡が使用中であるときを感知することと、この情報をディスプレイシステムへ連絡することである。幾つかの実施形態では、眼鏡は、図３のセンサー３３５の様なセンサーを含んでいてもよい。幾つかの実施形態では、眼鏡は、それが使用中であるときを、ユーザーが（電源スイッチの様な）スイッチを操作すること、眼鏡がユーザーの頭部に掛けられたときを接点センサーが検知すること、眼鏡がユーザーの頭部に掛けられたときに光センサーが遮られること、又は眼鏡のつるが展開されたときをスイッチが検知することで、感知することができる。幾つかの実施形態では、眼鏡は、自身が使用中であるとの状態を、ディスプレイシステムへ、図３の眼鏡３０５の送受信器３２０によって例示されている、ブルートゥース、ＲＦ、又はＷｉ−Ｆｉの様な無線リンクを介して連絡する。幾つかの実施形態では、眼鏡は、固定式眼鏡であろうと切り換え式眼鏡であろうと、眼鏡が対応しているビューを伝える。或る例では、特定の眼鏡一式を第１ビューと第２ビューの間で切り換えられるようになっている場合、そしてその様な眼鏡が第１ビューで使用中であるなら、眼鏡は信号をマルチビューディスプレイシステムへ提供し、眼鏡が使用中であること、そして第１ビューへ設定されていることを指し示す。
【００４１】
幾つかの実施形態では、マルチビューディスプレイシステムは、どの眼鏡が使用中であるかを視聴用眼鏡から受信される信号に基づいて感知し、ひいてはどのストリームが要求されているかを感知するようになっていてもよく、するとシステムはこの情報を使用してディスプレイを最適化することができる。例えば、シャッター眼鏡に基づくマルチビューディスプレイは、眼鏡に命令して、１つのストリームしか必要でない場合には絶えず開いたままにさせ、こうして単一ビューディスプレイへ戻すようにしてもよい。
【００４２】
幾つかの実施形態では、システムは、どのデバイスが使用中であるかをカメラの使用を介して光学的に感知していてもよく、その場合、カメラはユーザーのビューを生成し、システムは眼鏡上の見分けられる模様の様な見分け用のマークを検知する。
【００４３】
幾つかの実施形態では、マルチビューディスプレイシステムを介して独立のストリームを視聴するユーザーには、場面を独立に制御する手段が提供されていてもよい。幾つかの実施形態では、マルチビューディスプレイシステムは、複数の遠隔制御機器又は他のユーザーインターフェースデバイスを提供しており、どのビューを遠隔機器が制御しているかを識別するための手段を提供している。ビュー選択が眼鏡を用いて達成されているシステムの実装では、両眼鏡と対応する遠隔制御機器のそれぞれには、共通のマーキングが提供されていてもよく、例えば、ビュー１用には赤フレームの眼鏡と赤い遠隔機器、ビュー２用には青フレームの眼鏡と青い遠隔機器、が提供されていてもよい。
【００４４】
幾つかの実施形態では、マルチビューディスプレイのためのマルチビューディスプレイシステムは、以下を含んでいてもよい。
【００４５】
（１）ディスプレイ技術は、左目用の画像と右目用の画像を分離するに当たり、それらに異なった偏光を与えて、例えば一方の目には左巻き偏光、他方には右巻き偏光を使用するなどによって、画像を分離していてもよい。立体視の場合、ユーザーは、それぞれの目が異なった円偏光器を有する両眼鏡の様なフィルタリング要素を使用していてもよい。幾つかの実施形態では、マルチビューディスプレイを用いて複数の独立したストリームを視聴するために、それぞれの目に左円偏光器を有する両眼鏡は第１ユーザーに第１の画像ストリームだけが見えるようにし、それぞれの目に右円偏光器を有する両眼鏡は第２ユーザーに第２の画像ストリームだけが見えるようにするといった様に、少なくとも２つの異なった種類の眼鏡が使用されていてもよい。例えば、図３に示されている眼鏡３０５について、左目フィルタ３１５と右目フィルタ３１０は整合していてもよい。特定のディスプレイ技術は、同様に、直交線形偏光、例えば垂直及び水平偏光を利用している。
【００４６】
或る例では、システムは、マルチビューディスプレイ上で立体画像と非立体画像を提供する。或る例では、例えば両目とも左円偏光型の両眼鏡は、ユーザーに立体ディスプレイの非立体ビューが見えるようにする。或る実装では、立体３Ｄコンテンツが不愉快と感じたユーザーは、上記眼鏡を利用して当該映画の２Ｄビューを見てもよく、それでも３Ｄ効果を楽しむ友人たちと作品を分かち合うことができる。
【００４７】
（２）幾つかの実施形態では、マルチ画面ディスプレイにはライン交互偏光式ディスプレイが使用されていてもよい。幾つかの実施形態では、独立モードでのディスプレイの解像度を維持するために垂直ラインの本数が増やされることもある。或る例では、垂直ラインの本数は、２人のユーザーがフル解像画像を視聴できるようにするため二倍にされており、２つの独立画像をフル１０８０ｐ解像度で表示するには１９２０ｘ２１６０ディスプレイが利用される。
【００４８】
（３）幾つかの実施形態では、マルチビューディスプレイシステム又はデバイスには時系列ディスプレイが実装されていてもよい。立体ディスプレイが、左画像と右画像の時系列表示を使用して、例えば、左ビューは偶数フレーム中に提供され、右ビューは奇数フレーム中に提供されるようにしてもよい。或る立体システムでは、整合アクティブシャッター眼鏡を利用して、適時にビューを開いて、左目には偶数フレームを視させ、右目には奇数フレームを視させるようにしてもよい。幾つかの実施形態では、時系列ディスプレイは、２つの独立したデータストリームを表示するのに利用されている。仮に、例えば、第１データストリームが偶数フレーム中に提供され、第２データストリームが奇数フレーム中に提供されている場合、第１の眼鏡一式（第１データストリームによって提示される画像の視聴用）は両目を開けて偶数フレームを視させ両目を閉じて奇数フレームを視ることを回避させ、第２の眼鏡一式（第２データストリームによって提示される画像の視聴用）は両目を開けて奇数フレームを視させ両目を閉じて偶数フレームを視ることを回避させることであろう。
【００４９】
上の例は、２つのデータストリームを利用する実装を示しているが、時系列ディスプレイを使用する実施形態は、２つのデータストリームに限定されない。幾つかの実施形態では、３つ又はそれ以上の独立画像を映すことができ、独立画像の数は、ディスプレイの、明るさ、応答時間、帯域、及び他の特性の様な要因によってのみ制限される。
【００５０】
（４）幾つかの実施形態では、システムは、波長に僅かに差のある６原色（赤２色、緑２色、青２色）の様な原色の複数セットを、立体コンテンツが映されるように適切にフィルタリングする整合式眼鏡と共に利用していてもよい。幾つかの実施形態では、複数の独立画像を提供するために様々な原色が使用されている。或る例では、何れの両眼鏡のそれぞれの目にも同じフィルタが提供されているが、フィルタは両眼鏡によって視聴される予定のデータストリームに依って異なっていてもよい。幾つかの実施形態では、任意の数ｎのデータストリーム、ｎ≧２、は、マルチビュー画面上で視聴されるに当たり、十分な照明が光源から生成されていて波長フィルタが光の周波数を十分に区別できるのであれば、ｎ通りの赤、ｎ通りの緑、及びｎ通りの青を使用し、ｎ通りの異なった型式の眼鏡を利用することによって視聴されてもよい。
【００５１】
幾つかの実施形態では、上述の実装は何れも、マルチビューディスプレイシステム又はデバイスによって提供される独立画像の数を増やすように組み合わされてもよい。例えば、円偏光法（２つのチャネルを提供）を交互フレーム時系列法（２つのチャネルを提供）と組み合わせれば、４つの独立チャネルが生まれる。
【００５２】
幾つかの実施形態では、複数画像をマルチビューディスプレイで視聴するのに他にも立体用ディスプレイ技法が使用されている。或る例では、レンティキュラーディスプレイが、ディスプレイの異なった視角の異なった画像を提供しており、当該ディスプレイは立体画像のための特定の状況で使用されることであろう。幾つかの実施形態では、複数のビューがユーザーの視角に依って異なったユーザーへ提供されていてもよい。その様なディスプレイ技術は、例えば、自動車の前方部で、衝突を回避するために運転者によるビューを遮りながら前席乗車者へ映画を映すのに使用されてもよいし、乗車者が娯楽プログラムを見ている一方で運転者へはナビゲーションディスプレイを映すのに使用されてもよい。幾つかの実施形態では、レンティキュラーディスプレイは、視聴用のチャネルを増やすために他の手法と組み合わされていてもよい。例えば、レンティキュラーでもあり偏光型でもあるディスプレイなら、２つのチャネルを部屋又は他の場所の左側へ、そして更に２つのチャネルを部屋の右側へ提供できることであろう。
【００５３】
幾つかの実施形態では、アナグリフ及び他の補色フィルタ（赤／シアン、アンバー／青、マゼンタ／緑、など）が、立体ディスプレイのために使用されていてもよい。幾つかの実施形態では、その様なフィルタは、マルチ画面ディスプレイから複数の立体画像が提供されるように、複数視聴を提供するための別の技術と組み合わされていてもよい。
【００５４】
幾つかの実施形態では、システム又はデバイスは、映像データを、輸送し、組み合わせ、及び処理して、当該データがマルチビューディスプレイで表示されるようにする。幾つかの実施形態では、マルチビューディスプレイは、複数ストリームの入力を同時に可能にする入力を含んでいる。幾つかの実施形態では、システムは、複数の既存映像入力を利用していてもよい。
【００５５】
幾つかの実施形態では、単一リンクで複数のストリームを輸送するための方法又はプロセスが提供されている。ゲームコンソールが複数プレイヤーについてビューを生成する場合の様に、単一のデバイスが複数ストリームの源になっていることもある。幾つかの実施形態では、音声／映像受信器の様な映像切換機器がマルチストリームアウェア（multi-stream aware）であることもあろう。その様なリンクは、同様にマルチビューディスプレイ内部のデバイス間で使用されていることもあろう。
【００５６】
立体映像をリンクを介して輸送するために様々な手法が利用されることであり、幾つかの実施形態では、その様なフォーマットは、複数画像の異なったユーザーによる視聴を提供するべく再使用されたり拡張されたりしてもよい。或る特定の例では、ＨＤＭＩ（商標）（高品位解像度マルチメディアインターフェース）標準は、３Ｄコンテンツ用のフォーマットを定義している。幾つかの実施形態では、フォーマットは、同一映像フォーマットの２つの独立ストリームを輸送するように使用されていてもよい。本例では、２つのデータストリームが、３Ｄ提示の部分であるというのとは対照的に独立していることを指し示すために、メタデータが使用されていてもよい。或る例では、メタデータは、ＨＤＭＩベンダー独自情報フレーム（Vendor Specific Info Frame）の３Ｄ構造フィールドの現在予約値の形式をとっていることもある。別の例では、メタデータは、同様に、ＨＤＭＩベンダー独自情報フレームの何処か他の場所の現在予約ビットを使用していてもよいし、新たに定義されたベンダー独自情報フレームを使用していてもよい。
【００５７】
幾つかの実施形態では、立体映像を輸送するための既存のフォーマット及び技法を一般化して、２つより多くのストリームを搬送させることを可能にしている。以下に一例を示す。
（１）３つ又はそれ以上のフル解像度のサイドバイサイド画像。
（２）３つ又はそれ以上の、（組み合わされた画像がディスプレイの固有解像度へ納まるようにするためを含め）水平解像度を落としたサイドバイサイド画像。
（３）３つ又はそれ以上の、水平インターレース画像、垂直インターレース画像、又は斜めインターレース画像。
（４）３つ又はそれ以上のフレームインターリーブ型ストリーム。
【００５８】
立体映像の輸送では、概して、左目用及び右目用の映像又は画像は同じフォーマットであることが前提とされる。複数の独立ストリームが伝送される場合、ストリームのフォーマットが異なっていることもあり得る。幾つかの実施形態では、同じフレームレートを有しているが但し解像度は異なるというストリームについては、最も大きなフォーマットが利用され、且つそれぞれの映像ストリームへは各ストリームのサイズを指し示すメタデータが付け加えられている。幾つかの実施形態では、マルチビューディスプレイは、サイズの異なる組合せ型ストリームのために利用されていてもよい。幾つかの実施形態では、サイドバイサイドフォーマットを利用している場合、それぞれの画像はその固有幅で但し画像の下部及び／又は上部にパッディングを足して送信されるので、一貫した水平及び垂直方向の同期信号を提供しながらも必要となるドットクロックを小さくすることができる。反対に、フレームインターリーブ型フォーマットを利用する幾つかの実施形態では、それぞれの画像は、その固有の高さで但し右及び／又は左にパッディングを足して送信されており、それにより、一貫した同期信号を提供しながらも帯域幅を小さくすることができる。
【００５９】
幾つかの実施形態では、マルチビューフォーマット用のデータは、マルチビューアウェアであって複数ビューを別々のビューとして取り扱うディスプレイシステム又は装置へ供される。幾つかの実施形態では、代わりにリンクが複数のストリームを、非マルチビューアウェアディスプレイがその様なストリームを単一ストリームとして映すやり方で搬送する。幾つかの実施形態では、それらのストリームはフレームインターリーブ様式でエンコードされてもよく、その場合、１つ目を除く全てのストリームが垂直ブランキング期間内に納められ、又はサイドバイサイド様式でエンコードされれば、１つ目を除く全てのストリームが水平ブランキング期間内に納められることになる。幾つかの実施形態では、マルチビューアウェア機器への複数ストリームの存在は、メタデータで指し示されるようにすることもできるし、或いは受信器が水平又は垂直の同期タイミング改変を自動的に検出するようにすることもできるであろう。
【００６０】
図４は、ディスプレイ上に複数ビューを提供するためのプロセスの或る実施形態を示すフローチャートである。幾つかの実施形態では、複数のデータストリームが、表示用の複数ビューを提供するべく伝送される（４０５）。幾つかの実施形態では、複数ストリームは、単一ビューが全ビューへ提供される第１設定及び異なったビューが異なった視聴者へ提供される第２設定の様な複数の異なった設定で利用されていてもよい。幾つかの実施形態では、システムは、ビューがシステムによって設定されることになる場合に第１ユーザー用として提供されるべき第１ビューを識別することを求められることになる（４１０）。幾つかの実施形態では、第１ビューが第１ユーザーへ提供され他のビューはフィルタリングで除去されるようにビューをフィルタリングするべくフィルタリング要素が提供される（４１５）。フィルタリング要素の型式は、それぞれの実施形態で異なる。幾つかの実施形態では、フィルタリング要素はユーザーが着用している眼鏡に含まれていてもよい。幾つかの実施形態では、フィルタリング要素はディスプレイ装置中に設けられていてもよい。
【００６１】
幾つかの実施形態では、フィルタリング要素が選択可能である（４２０）場合、フィルタリング要素は第１ビューへ設定されてもよい（４２５）。ユーザーが着用している眼鏡がマルチビューディスプレイシステムによってアドレス指定可能であるといった様にシステムがビューに対する切り換え用の遠隔アクセスを含んでいる（４３０）場合、信号がフィルタリング要素へ送信され、信号に応えてフィルタが設定される（４３５）。システムが遠隔アクセスを含んでいない場合、ユーザーには、切り換え式眼鏡を特定のビューへ設定するといった様にフィルタリング要素の切り換えが許容されていてもよい（４４０）。フィルタ要素が選択可能でない（４２０）場合、例えば特定のビューに適正なレンズとフィルタを含んでいる眼鏡が提供されるといった様に適切なフィルタリング要素が提供されるなり第１ユーザーにとって利用可能にされるなりしてもよい（４２２）。
【００６２】
幾つかの実施形態では、フィルタ要素が、眼鏡が使用中であるかどうか、どのビューへ眼鏡が設定されているか、又はその両方の様な、フィルタリング要素の状態を判定するセンサーと、データを折り返しマルチビューディスプレイシステムへ報告する送信器と、を含んでいてもよい（４４５）場合、フィルタ要素の状態に関し信号がフィルタ要素からマルチビューディスプレイシステムへ送られ（４５０）、その様な信号はマルチビューディスプレイシステムで受信される（４５５）。選択された第１ビューが第１ユーザーへ提示され（４６０）、また同時にフィルタリング要素が他のビューをフィルタに掛けてディスプレイから除去し、その様なビューが第１ユーザーへ届くのを防止している。
【００６３】
幾つかの実施形態では、個々のシステム又はデバイスは、マルチストリーム映像データのソース、シンク、又はその両方であってもよい。幾つかの実施形態では、特定のクラスのシステム又はデバイスが、複数の独立ストリームを受容し、それらストリームを輸送か又は直接表示のどちらかのために組み合わせる。幾つかの実施形態では、システム又はデバイスは、ディスプレイ又は輸送のフォーマットに適宜対応してストリームをインターリーブしていてもよい。幾つかの実施形態では、システム又はデバイスは、ストリームを自身の入力のサブセットから選択していてもよい。
【００６４】
幾つかの実施形態では、複数の映像ストリームは、表示又は輸送に向けて組み合わされる前に、共通のフォーマット、共通の時間性、又はその両方へ、変換又は調節されることになる。幾つかの実施形態では、同様の要件が、他の映像処理デバイス又はシステムに、例えばテレビ放送用の製作機材などに、実装されている。
【００６５】
幾つかの実施形態では、映像整列のためのデバイス又は要素（ここでは整列デバイスと呼称）が、任意の異なったフォーマットのストリームを受容していてもよい。幾つかの実施形態では、整列デバイスは、入力ストリームを共通フォーマットにさせるに当たり必要に応じ、画像の拡大縮小、フレームレート変換、及びインターレーシング又はインターレーシング解除を遂行する。幾つかの実施形態では、整列デバイスは、更に、表示又は出力に向けて必要なときにデータが利用できるように、必要に応じデータをバッファしていてもよい。
【００６６】
幾つかの実施形態では、システム又はデバイスは、映像ストリームをマルチビューディスプレイ向けに整列させるのに必要な処理又はバファリングを排除又は軽減するように動作していてもよい。幾つかの実施形態では、整列デバイスが、全入力に、入力が同じ解像度を有することを要件とするといった様に互換性のあるフォーマットを持つこと、同じフレームレートを持つこと、及びインターレース型か又は非インターレース型かのどちらかであること、を強要しており、そうすることによって、拡大縮小、フレームレート変換、及びインターレーシング／インターレーシング解除、それぞれを遂行する必要性を排除することができる。或る例では、システム又はデバイスは、ホットプラグ技術及びＥＤＩＤ（Extended Display Identification Data：拡張表示識別データ）を使用して、ＨＤＭＩ互換デバイスに共通フォーマットを強要していてもよい。図５は、互換性のあるデバイスに共通フォーマットを強要するためのプロセスの或る実施形態を示している。或る例では、プロセスは、以下を提供する。
【００６７】
１．一次入力を選ぶ（５０５）。
２．一次入力側の映像フォーマット（一次入力フォーマット）を観察する（５１０）。
３．一次以外の全所望入力側のアンプラグ事象を生成又はシミュレートする（５１５）。
４．一次入力フォーマットに限ることを一次入力以外の入力へ告示するＥＤＩＤを提示する（５２０）。
５．一次以外の全所望入力側のプラグイン事象を生成又はシミュレートする（５２５）。
６．ソースに定義されたデフォルトフォーマットを送信させる（５３０）。一次入力フォーマットではないデフォルトフォーマットを送信しているソースがあった（５３５）場合、整列デバイスは、例えば、問題となっている入力からの映像の処理を拒絶するか、又は３−５の処理と同様の処理を使用して、一次を含む全ての入力にデフォルトフォーマットを強要する（５４０）。そうでない場合、処理は、マルチディスプレイ動作を続行する（５４５）。
【００６８】
幾つかの実施形態では、プロセスは、一群の所望ソースに共通の最適フォーマットを探すように増強されていてもよく、ここに、最適は優先順位リスト又は他の測定基準によって定義されていてもよい。幾つかの実施形態では、プロセスは、拡大縮小、フレームレート変換、又はインターレーシング／インターレーシング解除、のうちの１つ又はそれ以上を遂行することのできる整列デバイスを用いて増強されていてもよい。
【００６９】
幾つかの実施形態では、整列デバイスは、強制的に全入力に同じ映像タイミングを持たせることによってバッファ要件を軽減することができる。メカニズムには、要求される同期化の細分性及び精度に依って、ゲンロック、ラインロック、及びフレームロックが含まれ得る。例えば、画素インターリーブ型フォーマットの場合、完全にゲンロックされたソースならバファリングは全くといっていいくらい必要ない。
【００７０】
幾つかの実施形態では、整列デバイスは、ゲンロック、ラインロック、又はフレームロックに似たメカニズムを使用しており、但しデバイスに同位相以外の或る特定の位相関係を強要するために使用されるメカニズムと一体に使用していることもある。例えば、２つのストリームをフレームインターリーブ型フォーマットへと組み合わせてゆくデバイスは、入力フレーム時間の半分を強制的に位相不一致にすることによってバファリングを軽減することができるであろう。或る例では、３つのデータストリームをサイドバイサイドフォーマットへと組み合わせるよう活動しているシステム又はデバイスは、２番手の入力をそれぞれ強制的にライン時間の３分の１及び３分の２だけ遅らせることによってバファリングを軽減することができるであろう。
【００７１】
図６は、マルチビューディスプレイ装置又はシステムの或る実施形態の説明図である。この説明図では、マルチビューディスプレイ装置又はシステム６００は、例えば図２に示されているマルチビューディスプレイ装置２００を含んでいる装置又はシステムであり、画像を視聴者へ提供するための複数の設定６０５を含んでいる。
【００７２】
幾つかの実施形態では、マルチビューディスプレイ装置又はシステム６００の設定６０５は、３Ｄビュー６１５として示されている同じ３Ｄビューを全視聴者へ提供する第１設定６１０を含んでいてもよい。幾つかの実施形態では、設定６０５は、２Ｄビュー６２５として示されている同じ２Ｄビューを全視聴者へ提供する第２設定６２０を含んでいてもよい。幾つかの実施形態では、設定は、異なったビューが異なった視聴者へ提供される第３設定６３０を含んでいてもよい。幾つかの実施形態では、ビューは、視聴者が利用できるようにされているコンテンツに依っては、２Ｄビューと３Ｄビューの混合を含んでいてもよい。この説明図では、ビューは、第１の３Ｄビュー６３５、第２の３Ｄビュー６４０、第１の２Ｄビュー６４５、及び第２の２Ｄビュー６５０を含むことができる。
【００７３】
幾つかの実施形態では、装置又はシステム６００は、設定６０５を要求に応じて動的に切り換えることができる。幾つかの実施形態では、装置又はシステム６００は、図１に示されているフィルタリングデバイス又は要素１６５−１７５の様な単数又は複数のフィルタに、どれもが２Ｄビュー又は３Ｄビューを提供するべく同じ設定へ設定されるように、命令又は設定する。幾つかの実施形態では、画像提示の始まり、終わり、又は他の時点で、全視聴者が単一ビューを視聴するべきとされるときには、単一ビューの使用が起こってもよい。例えば、単一ビューは、全視聴者向けの紹介画像、メッセージを全視聴者へ伝えるための緊急時画像、又は全視聴者を対象とする他の画像であるかもしれない。
【００７４】
図７は、複数画像の生成及び表示の或る実施形態である。この説明図では、入力データストリーム７０５は、データストリームの異なった領域の複数画像を含んでいる。図７に示されている様に、入力データストリームは、ここでは左半分の領域として示されている第１領域の第１画像７１０と、ここでは右半分の領域として示されている第２領域の第２画像７１５を提供していてもよい。図７は、解り易くするために２つの領域を示しているが、実施形態は何れの特定の領域数にも限定されない。
【００７５】
幾つかの実施形態では、領域に保有されている画像は、その様な画像が（フル画面の様な）より大きな画像となるように拡大される。この説明図では、第１画像７１０は第１フル画面画像７２０を生成するべく拡大され、第２画像７１５は第２フル画面画像７２５を生成するべく拡大される。
【００７６】
幾つかの実施形態では、大きくされた／フル画面画像は、視聴者へ同時に提示されており、ここでは第１フル画面画像７３５及び第２フル画面画像７４０は一体にマルチビューディスプレイ画面７３０上に表示されているものとして図示されている。
【００７７】
図８は、複数の画像ビューを提供するための電子デバイス又はシステムの或る実施形態の説明図である。この説明図では、本記述に密接に関係のない特定の標準又は周知の構成要素は示されていない。幾つかの実施形態の下では、デバイス又はシステム８００は、ディスプレイ画面上に１人又はそれ以上の視聴者によって別々に視聴されてもよいとされる複数ビューを提供するシステムである。
【００７８】
幾つかの実施形態の下では、デバイス８００は、相互接続即ちクロスバー８０５又はデータ伝送のための他の通信手段を備えている。データは、音声視覚データ及び関係のある制御データを含んでいてもよい。デバイス８００は、情報を処理するための相互接続８０５と連結されている１つ又はそれ以上のプロセッサ８１０の様な処理手段を含むことができる。プロセッサ８１０は、１つ又はそれ以上の物理的プロセッサ及び１つ又はそれ以上の論理的プロセッサを備えることができる。更に、プロセッサ８１０のそれぞれが、複数のプロセッサコアを含んでいてもよい。相互接続８０５は、解り易くするために単一の相互接続として図示されているが、複数の異なった相互接続又はバスを表現しており、その様な相互接続への構成要素の接続は様々に異なることであろう。図８に示されている相互接続８０５は、適切なブリッジ、アダプタ、又はコントローラによって接続されている何らかの１つ又はそれ以上の別々の物理的バス又はポイントツーポイント接続又はそれら両方を表現する抽象概念である。相互接続８０５には、例えば、システムバス、ＰＣＩ又はＰＣＩｅバス、ハイパートランスポート（HyperTransport）又は業界標準アーキテクチャ（ＩＳＡ）バス、小型コンピュータシステムインターフェース（ＳＣＩＳ）バス、ＩＩＣ（１２Ｃ）バス、又は電気電子技術者協会（ＩＥＥＥ）標準１３９４バスであって時に「ファイアワイヤ（Firewire）」と呼称されるバスが含まれ得る。（１９９６年８月３０日発行、ＩＥＥＥ、１３９４−１９９５「高性能シリアルバスのための標準」及び補遺（"Standard for a High Performance Serial Bus" 1394-1995, IEEE, published August 30, 1996 and supplements））。デバイス８００は、更に、ＵＳＢバスの様なシリアルバスを備えていてもよく、その様なシリアルバスへは１つ又はそれ以上のＵＳＢ互換接続が取り付けられていてもよい。
【００７９】
幾つかの実施形態では、デバイス８００は、更に、ランダムアクセスメモリ（ＲＡＭ）又は他の動的ストレージデバイスを、情報やプロセッサ８１０によって実行させる命令を記憶するためのメモリ８１５として備えている。メモリ８１５は、更に、データストリーム又はサブストリームのためのデータを記憶するのに使用されていてもよい。ＲＡＭメモリには、例えば、メモリコンテンツのリフレッシュを要する動的ランダムアクセスメモリ（ＤＲＡＭ）及びコンテンツのリフレッシュは不要であるが費用の高い静的ランダムアクセスメモリ（ＳＲＡＭ）が含まれ得る。ＤＲＡＭメモリには、例えば、制御信号へのクロック信号を含んでいる同期式動的ランダムアクセスメモリ（ＳＤＲＡＭ）及び拡張データアウト動的ランダムアクセスメモリ（ＥＤＯ  ＤＲＡＭ：extended data-out dynamic random access memory）が含まれ得る。幾つかの実施形態では、システムのメモリは、特定のレジスタ又は他の特殊用途メモリを含むことができる。デバイス８００は、同様に、静的情報及びプロセッサ８１０のための命令を記憶するための読み出し専用メモリ（ＲＯＭ）８３０又は他の静的ストレージデバイスを含んでいてもよい。デバイス８００は、特定の要素を記憶するための１つ又はそれ以上の不揮発性メモリ要素８３５を含んでいてもよい。
【００８０】
幾つかの実施形態では、データストレージ８２０は、情報及び命令を記憶するために、デバイス８００の相互接続８０５へ連結されていてもよい。データストレージ８２０は、磁気ディスク、光学ディスク及びその対応するドライブ、又は他のメモリデバイスを含んでいてもよい。その様な要素は、一体に組み合わされていてもよいし、又は別々の構成要素とされて、デバイス８００の他の要素の部分を利用していてもよい。幾つかの実施形態では、データストレージは、マルチビューディスプレイ上に提示されるコンテンツデータ８２８のストレージを含んでいてもよい。
【００８１】
デバイス８００は、同様に相互接続８０５を介して、マルチビューディスプレイデバイス又は要素８４０へ連結されていてもよい。幾つかの実施形態では、ディスプレイは、情報又はコンテンツをエンドユーザーへ表示するための、液晶ディスプレイ（ＬＣＤ）、プラズマディスプレイ、又はその他のディスプレイ技術を含んでいてもよい。幾つかの実施形態では、ディスプレイ８４０は、異なった視聴者への異なった２Ｄ及び３Ｄ画像を含む複数の画像を表示するのに利用されていてもよい。この説明図では、ディスプレイデバイス又は要素８４０は、第１画像８４２、第２画像８４４、乃至第ｎ番目画像８４６の様な、複数画像を同時に提示していることが示されている。幾つかの実施形態では、ディスプレイデバイス又は要素は、１人又はそれ以上の視聴者８５５を対象とするビュー８５２を分離するよう動作する１つ又はそれ以上のフィルタ８５０を含んでいるか又はそれらフィルタと関連して動作していてもよい。フィルタ８５０には、図１に示されているフィルタリングデバイス又は要素１６５−１７５や、図３に示されている眼鏡３０５及びレンズ又はフィルタ３５５の様なフィルタリング要素が含まれ得る。幾つかの環境では、ディスプレイ８４０は、プログラムの音声部分を含む音声情報を提供するためのスピーカーの様な音声デバイスを含んでいてもよい。
【００８２】
幾つかの実施形態では、情報及び／又はコマンド選択をプロセッサ８１０へ連絡するために、入力デバイス８６０が装置又はシステム８００へ連結されているか又はそれと通信していてもよい。様々な実装では、入力デバイス８６０は、遠隔制御機器、キーボード、キーパッド、タッチ画面、音声起動システム、又は他の入力デバイス、又はその様なデバイスの組合せとすることができる。幾つかの実施形態では、デバイス又はシステムは、更に、方向情報及びコマンド選択を１つ又はそれ以上のプロセッサ８１０へ連絡するため及びディスプレイ８４０上のカーソルの動きを制御するための、マウス、トラックボール、タッチパッド、又は他のデバイスの様な、カーソル制御デバイス８６５を含んでいてもよい。
【００８３】
相互接続８０５へは同様に１つ又はそれ以上の送信器又は受信器８７０が連結されていてもよい。幾つかの実施形態では、デバイス８００は、データの受信用又は送信用の１つ又はそれ以上のポート８７５を含んでいてもよい。受信又は送信されるデータには３Ｄ又は２Ｄのコンテンツデータ８８０が含まれ得る。デバイス８００は、更に、ラジオ信号を介してのデータ受信のための１つ又はそれ以上のアンテナ８７８を含んでいてもよい。デバイス８００は、更に、パワーデバイス又はシステム８８５を備えていてもよく、当該パワーデバイス又はシステムは、電源装置、バッテリ、太陽電池、燃料電池、又はパワーを提供又は生成するための他のシステム又はデバイスを備えることができる。パワーデバイス又はシステム８８５によって提供されるパワーは、デバイス８００の要素へ要求に応じて分配される。
【００８４】
幾つかの実施形態では、マルチビューディスプレイシステム又はデバイス内の様々な場所で特定の形式の映像処理が遂行されていてもよい。幾つかの実施形態では、システム又はデバイスは、ディスプレイ又は輸送フォーマットに適切とされるフィルタリングを遂行していてもよい。例えば、システム又はデバイスは、ライン交互ディスプレイ上に表示されることになる画像なら垂直方向ローパスフィルタリングを行うことができるであろう。
幾つかの実施形態では、システム又はデバイスは、入力全体からの全てのチャネルを通過させるのではなしに、映像ストリームと関係のある音声をミックスしていてもよい。例えば、２プレイヤー用ゲームアプリケーションでは、システム又はデバイスは、第１プレイヤーの音声をモノラルへミックスダウンし、ミックスされた音声を左音声チャネルとして供し、第２プレイヤーの音声をモノラルへミックスダウンして右チャネルとして供していてもよい。幾つかの実施形態では、サラウンドサウンド又はバーチャルサラウンドサウンドの様な、音声についてのより複雑なプロセスが実装されていてもよい。
【００８５】
幾つかの実施形態では、ディスプレイ及びソースデバイスは、ユーザーインターフェースを映像データの上へオーバーレイするのに使用される１つ又はそれ以上のフレームバッファを保有している。幾つかの実施形態では、マルチビューアプリケーション用のそれぞれのストリームは、各々のインターフェースを利用することができる。幾つかの実施形態では、ユーザーインターフェースを提示するデバイスは、それぞれのストリームについてオーバーレイフレームバッファを保有している。
【００８６】
マルチビューディスプレイ上で映像ストリームを表示する場合、（眼鏡無しに視聴している場合や意図されない映像ストリームが十分にフィルタリングを掛けられずに別の映像ストリームの視聴の中へ流れ出てしまう状況では）一方のユーザーに別のユーザーを対象とする映像ストリームを視聴される可能性があるかもしれない。幾つかの実施形態では、マルチビューディスプレイデバイス又はシステムは、ディスプレイ上の他方を覆い隠すために、入力ストリームへ余分なストリームを付け加えることができる。１つの例では、第１の映像データストリームを所与として、デバイス又はシステムは、第１ストリームの逆数である第２ストリームを付け加えることができる。当該映像ストリームの組合せは、ディスプレイ上で眼鏡無しに視聴されたとき、（大凡）灰色に映し出されることになる。
【００８７】
以上の記述では、本発明が十分に理解されるようにするために、解説を目的として、数々の特定の詳細事項が述べられている。しかしながら、当業者には、本発明はそれらの特定の詳細事項の一部無しに実践され得ることが自明であろう。場合により、周知の構造及びデバイスはブロック図形式で示されている。示されている構成要素の間に中間構造を介在させることもできる。ここに記載され又は示されている構成要素は、示されも記載されもしていない追加の入力又は出力を有することもできる。示されている要素又は構成要素は、更に、何れかのフィールドの並び変えやフィールドサイズの変更を含め、異なった配列又は順序に配設されてもよい。
【００８８】
本発明は様々なプロセスを含むことができる。本発明のプロセスは、ハードウェア構成要素によって遂行されていてもよいし、又はコンピュータ可読命令に具現化し、それらを使用して、当該命令をプログラムされた汎用又は専用のプロセッサ又は論理回路にプロセスを遂行させるようにしてもよい。代わりに、プロセスは、ハードウェアとソフトウェアの組合せによって遂行されていてもよい。
【００８９】
本発明の諸部分は、発明に従ってプロセスを遂行するようコンピュータ（又は他の電子デバイス）をプログラムするのに使用することのできるコンピュータプログラム命令を記憶させたコンピュータ可読媒体を含むコンピュータプログラム製品として提供されていてもよい。コンピュータ可読媒体には、限定するわけではないが、フロッピィディスケット、光学ディスク、ＣＤ−ＲＯＭ（コンパクトディスク読み取り専用メモリ）、光磁気ディスク、ＲＯＭ（読み取り専用メモリ）、ＲＡＭ（ランダムアクセスメモリ）、ＥＰＲＯＭ（消去可能プログラム可能読み取り専用メモリ）、ＥＥＰＲＯＭ（電気的に消去可能プログラム可能読み取り専用メモリ）、磁気又は光学カード、フラッシュメモリ、又は電子的な命令を記憶するのに適した他の型式の媒体／コンピュータ可読媒体が含まれ得る。また、本発明は、コンピュータプログラム製品としてダウンロードされてもよく、その場合、プログラムは遠隔のコンピュータから要求側コンピュータへ転送されることになろう。
【００９０】
方法の多くは、それらの最も基本的な形態が記載されているが、本発明の基本的な範囲から逸脱することなく、それら方法の何れについてもプロセスを追加したり或いは削除したりすることができ、記載されている趣旨の何れについても情報を追加したり或いは差し引いたりすることができる。多くの更なる変更及び修正がなされ得ることが当業者には自明であろう。特定の実施形態は、本発明を限定するためではなく本発明を説明するために提供されている。
【００９１】
要素「Ａ」が要素「Ｂ」へ連結されている又は要素「Ｂ」と連結されていると言い表されている場合、要素Ａは要素Ｂへ直接的に連結されている場合もあれば、例えば要素Ｃを通して間接的に連結されている場合もある。明細書で、構成要素、機構、構造、プロセス、又は形質Ａが、構成要素、機構、構造、プロセス、又は形質Ｂを「引き起こす」と述べられている場合、それは、「Ａ」が「Ｂ」の少なくとも部分的な起因であることを意味し、但し、「Ｂ」を引き起こすのを支援する少なくとも１つの他の構成要素、機構、構造、プロセス、又は形質が存在し得ることも意味する。明細書で、構成要素、機構、構造、プロセス、又は形質が、含まれ「ていてもよい」、含まれ「ていることもある」、又は含まれ「得る」と表わされている場合、当該の特定の構成要素、機構、構造、プロセス、又は形質は、含まれることが必須というわけではない。明細書で、英語の不定冠詞「ａ」又は「ａｎ」の対訳である「或る」要素又は「一」要素という言及があった場合、これは、記載されている要素が１つしかないという意味ではない。
【００９２】
実施形態は本発明の一実装又は一例である。明細書で、「或る実施形態」、「１つの実施形態」、「幾つかの実施形態」、又は「他の実施形態」という言及があった場合、それは、当該実施形態と関連付けて記載されている特定の機構、構造、又は形質が、必ずしも全ての実施形態というわけではないが少なくとも幾つかの実施形態に含まれていることを意味する。「或る実施形態」、「１つの実施形態」、又は「幾つかの実施形態」と様々に登場しているが、それらは必ずしもどれもが同じ実施形態を指しているとは限らない。本発明の例示としての実施形態の以上の記述の中で、本発明の様々な特徴は、開示の合理化及び様々な発明態様の１つ又はそれ以上の理解を支援することを目的に、時には、単一の実施形態、図、又はその記述の中で一体にまとめられていることもあるものと理解されたい。
【符号の説明】
【００９３】
１０５  マルチビューディスプレイシステム
１１０  ディスプレイ
１１５  第１ビュー
１２０  第２ビュー
１２５  第１映像データストリーム
１３０  第２映像データストリーム
１３５  制御ユニット
１５０  第１ユーザー
１５５  第２ユーザー
１６０  第３ユーザー
１６５  第１フィルタリングデバイス又は要素
１７０  第２フィルタリングデバイス又は要素
１７５  第３フィルタリングデバイス又は要素
２００  マルチビューディスプレイ装置
２０５  制御ユニット
２１０  ディスプレイ
２１５  第１ビュー
２２０  第２ビュー
２２５  第ｎ番目ビュー
２３０  映像ストリーム
２３５  コントローラ
２４０  出力ポート
２４５  メモリ
２５０  送信器
２５５  受信器
２６０  入力ポート
２６５  測位要素
２７０  整列要素
２７５  アンテナ
３０５  眼鏡
３１０−３１５  フィルタ
３２０  送受信器
３２５  サウンド要素
３３０  切換要素
３３５  センサー
３５０  マルチビューディスプレイ
３５５  レンズ又はフィルタ
６００  マルチビューディスプレイ装置又はシステム
６０５  設定
６１０  第１設定
６１５  ３Ｄビュー
６２０  第２設定
６２５  ２Ｄビュー
６３０  第３設定
６３５  第１の３Ｄビュー
６４０  第２の３Ｄビュー
６４５  第１の２Ｄビュー
６５０  第２の２Ｄビュー
７０５  入力データストリーム
７１０  第１領域の第１画像
７１５  第２領域の第２画像
７２０  第１フル画面画像
７２５  第２フル画面画像
７３０  マルチビューディスプレイ画面
７３５  第１フル画面画像
７４０  第２フル画面画像
８００  デバイス
８０５  相互接続
８１０  プロセッサ
８１５  メモリ
８２０  データストレージ
８２８  コンテンツデータ
８３０  読み出し専用メモリ（ＲＯＭ）
８３５  不揮発性メモリ要素
８４０  マルチビューディスプレイデバイス又は要素
８４２  第１画像
８４４  第２画像
８４６  第ｎ番目画像
８５０  フィルタ
８５２  ビュー
８５５  視聴者
８６０  入力デバイス
８６５  カーソル制御デバイス
８７０  送信器又は受信器
８７５  ポート
８７８  アンテナ
８８０  ３Ｄ又は２Ｄのコンテンツデータ
８８５  パワーデバイス又はシステム
【図１】
2013541239.tif 000003
【図２】
2013541239.tif 000004
【図３】
2013541239.tif 000005
【図４】
2013541239.tif 000006
【図５】
2013541239.tif 000007
【図６】
2013541239.tif 000008
【図７】
2013541239.tif 000009
【図８】
2013541239.tif 000010
【国際調査報告】
2013541239.tif 000011
2013541239.tif 000012